(57)【特許請求の範囲】
【請求項１】
沈殿池の底面から僅かに上方に離間して配置され、往復移動されて前記沈殿池の底面上に堆積している汚泥を前記沈殿池の底面に設けてある汚泥ピット側に掻寄せる掻寄部材において、
前記掻寄部材は、汚泥ピット側にやや凹んだ略垂直面状のすくい面と、そのすくい面の下端部から汚泥ピットと反対方向に水平に延びる底面と、前記すくい面の上端部から前記底面の汚泥ピットと反対側の端部まで下り傾斜する逃げ面とを有して、横断面形状が中に空洞部を有するほぼ三角形状に形成されているとともに、前記底面にその両端部に内曲がりフランジを残して前記空洞部に連通する開口部が設けられ、かつ、前記逃げ面は上側に凸面となる湾曲面状に形成されていることを特徴とする掻寄部材。
【発明の詳細な説明】
【０００１】
【発明の属する技術分野】
本発明は、例えば、掻寄部材を沈殿池の底面上を移動させて汚泥を掻寄せる沈殿池用掻寄機に用いられる掻寄部材に関する。
【０００２】
【従来の技術】
図２は、下水処理場等の水処理施設に設けられる沈殿池を断面で示した概略構成図である。この沈殿池ａは、一端側（図２では左側）から原水流入管１ａを介して原水を受入れ、他端側に設けられている処理水流出管１ｂを介して処理水（上澄水）を排出できるように構成された、周知の横流式沈殿池の形状を呈している。
【０００３】
沈殿池ａの底面２は、ほぼ水平面に形成されていて、その底面２の原水受入側に汚泥ピット３が設けられている。
【０００４】
掻寄機４は、沈殿池ａの底面２上に往復移動自在に載置され、複数の掻寄部材５ａ，５ａ…を原水の流れる方向に一定の間隔をもって、かつ、原水の流れる方向に直交する方向と平行に設けて構成されている。そして、各掻寄部材５ａ，５ａ…は、周知の往復動式の掻寄部材と同様に、沈殿池ａの幅（原水の流れる方向と直交する方向の距離）とほぼ等しい長さを有し、その横断面形状は、図示されるように、汚泥ピット３側にやや凹んだほぼ垂直面状のすくい面と、すくい面の下端部から汚泥ピットと反対方向に水平に延びる底面と、すくい面の上端から底面の汚泥ピット３と反対側の端部まで下り傾斜する逃げ面を有して、ほぼ三角形状を呈している。そして、これら掻寄部材５ａ，５ａ…の上部は、連結棒６ａ及び後述する組立材６ｂを介して一体化されて掻寄機４が構成されている。
【０００５】
リンク機構７は、モータＭによる回転運動を、掻寄機４の水平往復運動に変換するものであり、そのリンク機構７の連結棒７ａの上端部は、モータＭの回転数を所定の割合で減速する歯車等の周知の減速機８の回転軌道上の１点に枢着され、また、その連結棒７ａの下端部は、沈殿池ａの側壁に設けられた三角形状の転換部７ｂの第１頂点部に回動自在に連結されている。さらに、この転換部７ｂの第２頂点部は、沈殿池ａの側壁に回動自在に支持され、転換部７ｂの第３頂点部には、一端部を掻寄機４の連結棒６ａに回動自在に連結された連結棒７ｃが回動自在に結合されている。したがって、モータＭにより減速機８が回転されて連結棒７ａが上下動すると、掻寄機４は、図２の矢印丸１，２に示されるように、沈殿池ａの底面２上を往復動することができる。なお、この往復動の間隔は、掻寄部材５ａ，５ａ間の間隔よりも少し大きくなるように決められている。
【０００６】
汚泥ピット３には、バルブＶを有する排泥管Ｐが設けられている。そして、バルブＶが開けられると、汚泥ピット３内の汚泥を図示しない汚泥処理装置へ排出することができるように構成されている。
【０００７】
上記構成の掻寄機４は、汚泥ピット３側に移動する往動（図２の矢印丸１参照）においては、汚泥を掻寄部材５ａのすくい面によって前方（汚泥ピット３側）に移動させ、掻寄機４が汚泥ピット３側から離れる復動（図２の矢印丸２参照）においては、掻寄部材５ａの逃げ面が汚泥から受ける抵抗を軽減するので、汚泥を移動させない。したがって、沈殿池ａの底面２上の汚泥は、掻寄機４の往復動により汚泥ピット３に掻寄せられる。
【０００８】
【発明が解決しようとする課題】
しかしながら、上記従来の沈殿池用掻寄機は、沈殿池の底面表層の汚泥を掻寄せることができないので、その底面表層の汚泥が腐敗してしまうという欠点があった。
【０００９】
図３を用いてさらに説明すると、同図（ａ）は、上記図２に示される掻寄機４の一部分の拡大斜視図、同図（ｂ）は、同図（ａ）のＢ−Ｂ線拡大断面図である。
【００１０】
掻寄機４の複数の掻寄部材５ａ，５ａ…は、図２に示されるように、リンク機構７に連結されている連結棒６ａ以外に、図３（ａ）に示されるように、掻寄部材５ａ，５ａ…の底面側が複数の組立材６ｂ，６ｂ…により組立てられている。すなわち、これら組立材６ｂ，６ｂ…は、掻寄部材５ａ，５ａ…の長手方向と直交する方向に所定の間隔を保って掻寄部材５ａ，５ａ…の底面に溶接等により固定されている。つまり、掻寄機４は、複数の掻寄部材５ａ，５ａ…と複数の組立材６ｂ，６ｂ…とが井桁状に組合わされて構成されている。
【００１１】
図３中、９，９…は、底面２上の各組立材６ｂ，６ｂ…にそれぞれ対応する位置に設けられた合成樹脂製の受材であって、掻寄機４の往復動を円滑に行うことができるように設けられている。
【００１２】
上述のように、掻寄機４の下部に存在する組立材６ｂ及び受材９により、掻寄部材５ａと底面２との間に１０ｍｍ程度の間隙ｄが形成されるため、その間隙ｄ中の汚泥は、掻寄部材５ａにより掻寄せられることなく滞留し、腐敗の原因になっていた。
【００１３】
そこで、本発明は、上記欠点を解決するためになされたものであって、その目的は、掻寄部材と沈殿池底面との間に汚泥が滞留しないようにすることにある。
【００１４】
【課題を解決するための手段】
本発明は、上記目的を達成するために、沈殿池の底面から僅かに上方に離間して配置され、往復移動されて前記沈殿池の底面上に堆積している汚泥を前記沈殿池の底面に設けてある汚泥ピット側に掻寄せる掻寄部材において、前記掻寄部材は、汚泥ピット側にやや凹んだ略垂直面状のすくい面と、そのすくい面の下端部から汚泥ピットと反対方向に水平に延びる底面と、前記すくい面の上端部から前記底面の汚泥ピットと反対側の端部まで下り傾斜する逃げ面とを有して、横断面形状が中に空洞部を有するほぼ三角形状に形成されているとともに、前記底面にその両端部に内曲がりフランジを残して前記空洞部に連通する開口部が設けられ、かつ、前記逃げ面は上側に凸面となる湾曲面状に形成されていることを特徴としている。
【００１５】
【発明の実施の形態】
以下、本発明の実施の形態を図面に基づいて説明する。なお、上記図２及び図３と同一構成要素には、同一符号を用いて説明する。
【００１６】
図１（ａ）は図３（ａ）に対応する掻寄機１４の一部分の拡大斜視図であり、図１（ｂ）は図１（ａ）のＡ−Ａ線拡大断面図である。
【００１７】
掻寄機１４は、図２に示されたものと同様に、リンク機構（図２の７参照）に連結されている連結棒（図２の６ａ参照）に連結されているほか、複数の掻寄部材１５ａ，１５ａ…が、図１（ａ）に示されるように、掻寄部材１５ａ，１５ａ…の底面側に配設された複数の組立材６ｂ，６ｂ…で組立てられている。すなわち、これら組立材６ｂ，６ｂ…は、掻寄部材１５ａ，１５ａ…の長手方向と直交する方向に所定の間隔を保って掻寄部材１５ａ，１５ａ…の底面に溶接等により固定されている。つまり、掻寄機１４は、複数の掻寄部材１５ａ，１５ａ…と複数の組立材６ｂ，６ｂ…とが井桁状に組合わされて構成されている。
【００１８】
図１中、９，９…は、底面２上の組立材６ｂ，６ｂ…にそれぞれ対応する位置に設けられた合成樹脂製の受材であって、掻寄機１４の往復動を円滑に行うことができるように設けられている。
【００１９】
掻寄部材１５ａの外形形状は、図３に示された掻寄部材５ａと同じである。すなわち、掻寄部材１５ａは、沈殿池（上記図２のａ参照）の幅（原水の流れる方向と直交する方向の距離）とほぼ等しい長さを有し、その断面形状（原水の流れる方向と平行な垂直断面形状）は、図１（ｂ）に拡大して示されるように、汚泥ピット（図２の３参照）側にやや凹んだ略垂直面状のすくい面１５１と、すくい面の下端部から汚泥ピットと反対方向に水平に延びる底面１５２と、すくい面１５１の上端部から底面１５２の汚泥ピットと反対側の端部まで上向き凸面状に湾曲して下り傾斜する逃げ面１５３とを有してほぼ三角形状を呈している。そして、この掻寄部材１５ａは、内部に空洞部１５ａ1 が形成され、底面１５２に、両端部の内曲がりフランジ１５２ｂ１，１５２ｂ２を残して、その空洞部１５ａ1 に連通する開口部１５ａ2 が設けられている。
【００２０】
上記構成の掻寄機１４が沈殿池内で往復動（図１（ａ）の矢印イ，ロ参照）されると、掻寄機１４の往動（図１（ａ）（ｂ）の矢印イ参照）の際は、汚泥は掻寄部材１５ａのすくい面１５１によって前方に移動される。掻寄部材１５ａの逃げ面１５３が上側に凸面となる湾曲面状に形成されているため、すくい面１５１の上端部の背後に渦流（又は乱流）が発生することが抑制される。また、掻寄部材１５ａの逃げ面１５３が上側に凸面となる湾曲面状に形成されているため、掻寄機１４の汚泥ピット側から離れる復動（図１（ａ）（ｂ）の矢印ロ参照）の際は、掻寄部材１５ａの逃げ面１５３が汚泥から受ける抵抗が軽減されるので、汚泥を移動（散乱）させることなく、掻寄機１４が復動される。したがって、沈殿池の底面２上の汚泥は、掻寄機１４の往復動により効率良く汚泥ピットに掻寄せられる。
【００２１】
また、掻寄部材１５ａが往復動する際は、掻寄部材１５ａの空洞部１５ａ1 内には、図１（ｂ）に示されるように、開口部１５ａ2 から汚泥を含んだ水の出入が活発に行われ、かつ、掻寄機１４の移動方向に応じた旋回流が生じる。これにより、掻寄部材１５ａの下面と沈殿池の底面２との間隙ｄ中に存在する汚泥が撹乱される。したがって、間隙ｄ中に汚泥が長時間滞留して、汚泥が腐敗するのを未然に防止することができる。
【００２２】
また、掻寄部材１５ａ，１５ａ…が中空に形成されているので、掻寄機１４の全体質量を低減することができ、動力費削減効果も得られる。
【００２３】
【発明の効果】
上述のように、本発明によれば、掻寄部材は、汚泥ピット側にやや凹んだ略垂直面状のすくい面と、そのすくい面の下端部から汚泥ピットと反対方向に水平に延びる底面と、前記すくい面の上端部から前記底面の汚泥ピットと反対側の端部まで下り傾斜する逃げ面とを有して、横断面形状が中に空洞部を有するほぼ三角形状に形成されているとともに、逃げ面は上側に凸面となる湾曲面状に形成されているので、掻寄部材の背後に渦流（又は乱流）が発生することが抑制され、沈殿池の底面上の汚泥は効率良く汚泥ピットに掻寄せられる。また、掻寄部材の底面の両端部に内曲がりフランジを残して前記空洞部に連通する開口部が設けられ、かつ、前記逃げ面が上側に凸面となる湾曲面状に形成されていることにより、掻寄部材の往復動の際に空洞部内に旋回流が生じやすいため、掻寄部材と沈殿池の底面との間の汚泥が前記開口部から前記空洞部に活発に出入りして攪乱されるので、長時間滞留して腐敗するのを未然に防止することができる。
【図面の簡単な説明】
【図１】  （ａ）は、本発明に係る沈殿池用掻寄機の一部分の斜視図、（ｂ）は、（ａ）のＡ−Ａ線拡大断面図である。
【図２】  従来の往復動式の掻寄機を用いた沈殿池の断面図である。
【図３】  （ａ）は、従来の沈殿池用掻寄機の一部分の斜視図、（ｂ）は、（ａ）のＢ−Ｂ線拡大断面図である。
【符号の説明】
１ａ  原水流入管
１ｂ  処理水流出管
２  沈殿池の底面
３  汚泥ピット
４  掻寄機
６ｂ  組立材
９  受材
１５ａ  掻寄部材
１５１  すくい面
１５２  底面
１５３  逃げ面
１５ａ1   中空
１５ａ2   開口部
１５２ｂ１，１５２ｂ２  内曲がりフランジ
６ａ  連結棒
７  リンク機構
ａ  沈殿池
Ｐ  排泥管
Ｖ  バルブ
【図１】
0004497670.tif 000002
【図２】
0004497670.tif 000003
【図３】
0004497670.tif 000004